(57)【要約】      （修正有）【課題】同時視認可能な第１及び第２ディスプレイに表示される画面の色味についてユーザの違和感を低減することができる電子機器を提供する。【解決手段】ユーザからの操作に応じて、第１ディスプレイが表示する画像における色味の補正する補正量を決定する第１補正量決定部と、第２ディスプレイが表示する画像における色味の補正する補正量を決定する第２補正量決定部とを備える。【選択図】図３
2013003406.tif 000002
【特許請求の範囲】
【請求項１】
同時視認可能な第１及び第２ディスプレイを備える電子機器であって、
前記第１ディスプレイが表示する画像における色成分毎の第１補正量を決定する第１補正量決定部と、
前記第１補正量決定部によって決定された前記第１補正量に基づく画像を前記第１ディスプレイに表示させる第１表示制御部と、
前記第２ディスプレイが表示する画像における色成分毎の第２補正量を決定する第２補正量決定部と、
前記第２補正量決定部によって決定された前記第２補正量に基づく画像を前記第２ディスプレイに表示させる第２表示制御部とを有する
ことを特徴とする電子機器。
【請求項２】
前記第１補正量決定部は、
前記第１ディスプレイに、輝度が互いに異なる、色成分毎の複数のサンプル画像を表示させる第１サンプル表示部と、
前記第１ディスプレイに表示されている前記複数のサンプル画像のうちの１つのサンプル画像の指定を受ける、第１指定受付部とを有し
前記第１補正量の決定を、前記第１指定受付部が指定を受けた１つのサンプル画像をなす色における色成分毎の輝度に基づいて行い、
前記第２補正量決定部は、
前記第２ディスプレイに、輝度が互いに異なる、色成分毎の複数のサンプル画像を表示させる第２サンプル表示部と、
前記第２ディスプレイに表示されている前記複数のサンプル画像のうちの１つのサンプル画像の指定を受ける、第２指定受付部とを有し
前記第２補正量の決定を、前記第２指定受付部が指定を受けた１つのサンプル画像をなす色における色成分毎の輝度に基づいて行う
ことを特徴とする請求項１記載の電子機器。
【請求項３】
前記第１補正量決定部は、
前記第１指定受付部が指定を受けた１つのサンプル画像をなす色を、前記第１ディスプレイにおける、当該サンプル画像の表示領域よりも広い所定の領域に表示させる第１指定色表示部を有し、
前記第２補正量決定部は、
前記第２指定受付部が指定を受けた１つのサンプル画像をなす色を、前記第２ディスプレイにおける、当該サンプル画像の表示領域よりも広い所定の領域に表示させる第２指定色表示部とを有する
ことを特徴とする請求項２記載の電子機器。
【請求項４】
前記第１補正量決定部は、
前記第１補正量の決定を肯定する旨の第１肯定操作を受け付ける、第１肯定操作受付部を有し、
前記第１補正量の決定を、前記第１指定受付部が前記１つのサンプル画像の指定を受け付けた場合において、前記第１肯定操作受付部が前記第１肯定操作を受け付けたときに限って行い、
前記第２補正量決定部は、
前記第２補正量の決定を肯定する旨の第２肯定操作を受け付ける、第２肯定操作受付部を有し、
前記第２補正量の決定を、前記第２指定受付部が前記１つのサンプル画像の指定を受け付けた場合において、前記第２肯定操作受付部が前記第２肯定操作を受け付けたときに限って行う
ことを特徴とする請求項３記載の電子機器。
【請求項５】
前記第１ディスプレイが表示する画像を構成する画素それぞれにおける色成分のそれぞれは、赤色成分と緑色成分と青色成分とであり、
前記第１サンプル表示部は、前記第１ディスプレイに表示させる複数のサンプル画像のそれぞれを、赤色成分と緑色成分と青色成分とのうちの少なくとも１つが最大輝度となる色からなる画像とし、
前記第２ディスプレイが表示する画像を構成する画素それぞれにおける色成分のそれぞれは、赤色成分と緑色成分と青色成分とであり、
前記第２サンプル表示部は、前記第２ディスプレイに表示させる複数のサンプル画像のそれぞれを、赤色成分と緑色成分と青色成分とのうちの少なくとも１つが最大輝度となる色からなる画像とする
ことを特徴とする請求項４記載の電子機器。
【請求項６】
前記第１サンプル表示部は、前記複数のサンプル画像を、サンプル画像のそれぞれが互いにアレイ状に並ぶよう表示させ、
前記第２サンプル表示部は、前記複数のサンプル画像を、サンプル画像のそれぞれが互いにアレイ状に並ぶように表示させる
ことを特徴とする請求項５記載の電子機器。
【請求項７】
前記第１表示制御部は、前記第１補正量決定部が、前記第１補正量を決定した場合において、前記第１表示制御部が前記第１ディスプレイに表示させる白色の輝度が、前記第２表示制御部が前記第２ディスプレイに表示させる白色の輝度よりも高くなるとき、及び、前記第２補正量決定部が、前記第２補正量を決定した場合において、前記第１表示制御部が前記第１ディスプレイに表示させる白色の輝度が、前記第２表示制御部が前記第２ディスプレイに表示させる白色の輝度よりも高くなるとき、前記第１ディスプレイが表示する白色の輝度が、前記第２ディスプレイにおける白色の輝度と同程度となるように、前記第１ディスプレイへの画像の表示を行い、
前記第２表示制御部は、前記第１補正量決定部が、前記第１補正量を決定した場合において、前記第２表示制御部が前記第２ディスプレイに表示させる白色の輝度が、前記第１表示制御部が前記第１ディスプレイに表示させる白色の輝度よりも高くなるとき、及び、前記第２補正量決定部が、前記第２補正量を決定した場合において、前記第２表示制御部が前記第２ディスプレイに表示させる白色の輝度が、前記第１表示制御部が前記第１ディスプレイに表示させる白色の輝度よりも高くなるとき、前記第２ディスプレイが表示する白色の輝度が、前記第１ディスプレイにおける白色の輝度と同程度となるように、前記第２ディスプレイへの画像の表示を行う
ことを特徴とする請求項６記載の電子機器。
【請求項８】
主表面に前記第１ディスプレイを有する第１筐体と、
主表面に前記第２ディスプレイを有する第２筐体と、
前記第１筐体と前記第２筐体とを、前記第１筐体と前記第２筐体とが互いに重なる第１形態と、前記第１筐体の主表面と前記第２筐体の主表面とで平面を形成する第２形態とに変更自在に連結する連結アームとを備える
ことを特徴とする請求項６記載の電子機器。
【発明の詳細な説明】
【技術分野】
【０００１】
本発明は、同時視認可能な２つのディスプレイを備える電子機器に関する。
【背景技術】
【０００２】
従来、画像、文字列等を表示するためのディスプレイを備える電子機器がある。
従来のディスプレイを有する電子機器は、例えば、特許文献１に記載されているように、電子機器を利用するユーザの好みに合わせて、ディスプレイにおける、画像の明るさ、画像の色味(色合いともいう)等を調整する表示制御装置を有している。
【先行技術文献】
【特許文献】
【０００３】
【特許文献１】特開２００２−９１４１３号公報
【発明の概要】
【発明が解決しようとする課題】
【０００４】
ところで、同時視認可能な２つのディスプレイを備え、これら２つのディスプレイのそれぞれに画像を表示する機能を有する電子機器がある。
このような電子機器においては、これら２つのディスプレイにおける製造上の品質ばらつき等に起因して、一方のディスプレイに表示される画像の色味と、他方のディスプレイに表示される画像の色味とが、互いに異なるものとなってしまうことがある。そして、このことによって、これら２つのディスプレイのそれぞれに画像を表示する場合に、一方のディスプレイに表示される画像の色味と、他方のディスプレイに表示される画像の色味とが、互いに異なったものとなってしまい、ユーザは、これらの画像における色味について違和感を覚えてしまうことがある。
【０００５】
特に、２つのディスプレイを用いて１つの画像を表示する機能を有する電子機器においては、この違和感は顕著なものとなる。
そこで、本発明は、係る問題に鑑みてなされたものであり、２つのディスプレイを用いて画像を表示する場合において色味の違和感を低減することができる電子機器を提供することを目的とする。
【課題を解決するための手段】
【０００６】
上記課題を解決するために本発明に係る電子機器は、同時視認可能な第１及び第２ディスプレイを備える電子機器であって、前記第１ディスプレイが表示する画像における色成分毎の第１補正量を決定する第１補正量決定部と、前記第１補正量決定部によって決定された前記第１補正量に基づく画像を前記第１ディスプレイに表示させる第１表示制御部と、前記第２ディスプレイが表示する画像における色成分毎の第２補正量を決定する第２補正量決定部と、前記第２補正量決定部によって決定された前記第２補正量に基づく画像を前記第２ディスプレイに表示させる第２表示制御部とを有することを特徴とする。
【発明の効果】
【０００７】
本発明に係る電子機器によると、色味の違和感を低減することができるようになる。
【図面の簡単な説明】
【０００８】
【図１】（ａ）第１形態の携帯電話機１００の斜視図、（ｂ）第１形態から第２形態へ変形途中の携帯電話機１００の斜視図、（ｃ）第２形態の携帯電話機１００の斜視図
【図２】携帯電話機１００の主要な回路構成を示す回路図
【図３】画像表示機能部を構成する主要な機能ブロックの機能ブロック図
【図４】第１白色テーブルのデータ構成図
【図５】第１白色ターゲット画像の模式図
【図６】１２色の色の組み合わせの４つのパターンを模式的に示す模式図
【図７】第１ＬＵＴの一例についてのデータ構成図
【図８】（ａ）Ｒ入力値７０１とＲ出力値７０２との対応関係を示す相関図、（ｂ）Ｇ入力値７０３とＧ出力値７０４との対応関係を示す相関図、（ｃ）Ｂ入力値７０５とＢ出力値７０６との対応関係を示す相関図
【図９】調整テーブルの構成図
【図１０】補正値更新処理のフローチャート
【図１１】単体補正値更新処理のフローチャート
【図１２】補正値更新処理において、第１ＬＣＤ２１５に表示される白色ターゲット画像と第２ＬＣＤ２２５に表示される白色ターゲット画像とを模式的に示す模式図
【発明を実施するための形態】
【０００９】
＜実施の形態＞
＜全体構成＞
以下、本発明に係る電子機器の一実施形態として、主表面に第１タッチパネル１０６を有する第１筐体１０１と、主表面に第２タッチパネル１０７を有する第２筐体１０２と、連結アーム１０３とを備え、連結アーム１０３が第１筐体１０１と第２筐体１０２とを形態変更自在に連結することで、第１形態と第２形態とに選択的に変形自在となる携帯電話機１００について説明する。
【００１０】
図１（ａ）、（ｂ）、（ｃ）は、それぞれ、第１形態の携帯電話機１００の斜視図、第１形態から第２形態へ変形途中の携帯電話機１００の斜視図、第２形態の携帯電話機１００の斜視図である。
図１（ａ）に示されるように、携帯電話機１００の第１形態は、第１筐体１０１と第２筐体１０２とが互いに重なり合うことで、外部から視認されるタッチパネルが、第１タッチパネル１０６のみとなる形態である。
【００１１】
図１（ｃ）に示されるように、携帯電話機１００の第２形態は、第１筐体１０１の主表面と第２筐体の主表面とが同一平面になるように、第１筐体１０１と第２筐体１０２とが互いに横に並ぶことで、第１タッチパネル１０６と第２タッチパネル１０７とが、外部から同時視認可能となる形態である。
この携帯電話機１００は、通話機能に加えて、インターネットサイト閲覧機能、デジタルテレビ受信機能等を有し、第２形態において、第１タッチパネル１０６と第２タッチパネル１０７とを用いて、１つの画像を表示することができる。そして、さらに、第２形態において、第１タッチパネル１０６と第２タッチパネル１０７とを用いて行われるユーザからの操作に応じて、第１タッチパネル１０６の表示する画像の色味と、第２タッチパネル１０７の表示する画像の色味とを補正する機能を有している。
【００１２】
以下、携帯電話機１００の構成の詳細について、図面を参照しながら説明する。
＜ハードウエア構成＞
図２は、携帯電話機１００の主要な回路構成を示す回路図である。
同図に示されるように、携帯電話機１００は、通信用アンテナ２３１と送受信回路２０１と変復調回路２０２とテレビ用アンテナ２３２とテレビ受信回路２０５とプロセッサ２０４とスピーカ２０７とレシーバ２０８とメモリ２０９と第１タッチパッドコントローラ（touchpad controller）２１１と第１タッチパッド２１２と第１ＬＣＤ（Liquid Crystal Display）コントローラ２１３と第１ＬＣＤ２１５と第２タッチパッドコントローラ２２１と第２タッチパッド２２２と第２ＬＣＤコントローラ２２３と第２ＬＣＤ２２５とから構成されている。そして、第１タッチパッド２１２と第１ＬＣＤ２１５とは、互いに重なり合って配置されることで第１タッチパネル１０６を形成し、第２タッチパッド２２２と第２ＬＣＤ２２５とは、互いに重なり合って配置されることで第２タッチパネル１０７を形成している。
【００１３】
通信用アンテナ２３１は、送受信回路２０１に接続され、外部の基地局との間で行われる、携帯電話向け周波数帯（例えば、２ＧＨｚ帯）の信号の送受信に用いられるアンテナである。
送受信回路２０１は、通信用アンテナ２３１と変復調回路２０２とに接続され、プロセッサ２０４によって制御され、通信用アンテナ２３１を利用して、外部の基地局から送信された携帯電話向け周波数帯の信号を受信する機能と、通信用アンテナ２３１を用いて、変復調回路２０２から送られてきた携帯電話向け周波数帯の信号を外部の基地局に送信する機能とを有する。
【００１４】
変復調回路２０２は、送受信回路２０１とプロセッサ２０４とに接続され、プロセッサ２０４によって制御され、送受信回路２０１が受信した受信信号を復調して、プロセッサ２０４へ送る機能と、プロセッサから送られて来た信号を変調して、送受信回路２０１に送る機能とを有している。
テレビ用アンテナ２３２は、テレビ受信回路２０５に接続され、地上デジタルテレビ放送信号の受信に用いられるアンテナである。
【００１５】
テレビ受信回路２０５は、テレビ用アンテナ２３２とプロセッサ２０４とに接続され、プロセッサ２０４によって制御され、テレビ用アンテナ２３２を利用して、地上デジタルテレビ放送を受信する機能を有する。
スピーカ２０７は、プロセッサ２０４に接続され、プロセッサ２０４から送られる電気信号を、音声に変換する機能を有する。
【００１６】
レシーバ２０８は、プロセッサ２０４に接続され、入力される音声を電気信号に変換してプロセッサ２０４へ送る機能を有する。
第１タッチパッド２１２は、第１タッチパッドコントローラ２１１に接続され、第１タッチパッドコントローラ２１１によって制御され、透明電極（例えば、ＩＴＯ（Indium Tin Oxide：酸化インジウムスズ）製）を備える透明なタッチパッドであって、第１ＬＣＤ２１５の上に重ねられて配置されている。
【００１７】
第１タッチパッドコントローラ２１１は、第１タッチパッド２１２とプロセッサ２０４とに接続され、プロセッサ２０４によって制御され、第１タッチパッド２１２を制御する機能と、第１タッチパッド２１２を用いて行われるユーザ操作を、電気信号に変換してプロセッサ２０４に送る機能とを有する。
第１ＬＣＤ２１５は、第１ＬＣＤコントローラ２１３に接続され、第１ＬＣＤコントローラ２１３によって制御される液晶ディスプレイであって、第１タッチパッド２１２の下に重ねられて配置されている。
【００１８】
第１ＬＣＤコントローラ２１３は、第１ＬＣＤ２１５とプロセッサ２０４とに接続され、プロセッサ２０４によって制御され、プロセッサ２０４から送られてくる画像信号に基づく画像を、第１ＬＣＤ２１５に表示させる機能を有する。
第２タッチパッド２２２は、第２タッチパッドコントローラ２２１に接続され、第２タッチパッドコントローラ２２１によって制御され、透明電極（例えば、ＩＴＯ製）を備える透明なタッチパッドであって、第２ＬＣＤ２２５の上に重ねられて配置されている。
【００１９】
第２タッチパッドコントローラ２２１は、第２タッチパッド２２２とプロセッサ２０４とに接続され、プロセッサ２０４によって制御され、第２タッチパッド２２２を制御する機能と、第２タッチパッド２２２を用いて行われるユーザ操作を、電気信号に変換してプロセッサ２０４に送る機能とを有する。
第２ＬＣＤ２２５は、第２ＬＣＤコントローラ２２３に接続され、第２ＬＣＤコントローラによって制御される液晶ディスプレイであって、第２タッチパッド２２２の下に重ねられて配置されている。
【００２０】
第２ＬＣＤコントローラ２２３は、第２ＬＣＤ２２５とプロセッサ２０４とに接続され、プロセッサ２０４によって制御され、プロセッサ２０４から送られてくる画像信号に基づく画像を、第２ＬＣＤ２２５に表示させる機能を有する。
メモリ２０９は、プロセッサ２０４に接続され、プロセッサ２０４の動作を規定するプログラムと、プロセッサ２０４が利用するデータとを記憶する。
【００２１】
プロセッサ２０４は、変復調回路２０２とテレビ受信回路２０５とスピーカ２０７とレシーバ２０８とメモリ２０９と第１タッチパッドコントローラ２１１と第１ＬＣＤコントローラ２１３と第２タッチパッドコントローラ２２１と第２ＬＣＤコントローラ２２３とに接続され、メモリ２０９に記憶されているプログラムを実行することで、送受信回路２０１と変復調回路２０２とテレビ受信回路２０５と第１タッチパッドコントローラ２１１と第１ＬＣＤコントローラ２１３と第２タッチパッドコントローラ２２１と第２ＬＣＤコントローラ２２３とを制御して、携帯電話機１００に様々な機能を実現させる機能を有する。
【００２２】
ここで、様々な機能とは、例えば、通話機能、インターネットサイト閲覧機能、デジタルテレビ受信機能、表示画像における色味の補正機能等である。
以下、図面を用いて、プロセッサ２０４が、メモリ２０９に記憶されているプログラムを実行することで実現される、携帯電話機１００の機能について説明する。
ここでは、携帯電話機１００が有する機能のうち、通話機能、インターネットサイト閲覧機能、デジタルテレビ受信機能等は、従来の携帯電話機と同様の機能であるので、ここではこれらの説明を省略し、特徴的な機能である表示画像における色味の補正機能を中心に説明する。
【００２３】
この携帯電話機１００は、通常動作モードと補正動作モードとの２つの動作モードを有し、色味補正機能は、携帯電話機１００が補正動作モードである場合に限って実現される機能である。
＜機能構成＞
図３は、携帯電話機１００が行う処理のうち、第１ＬＣＤ２１５と第２ＬＣＤ２２５とを用いて画像を表示させる処理を担う機能ブロック（以下、「画像表示機能部」と呼ぶ。）を構成する主要な機能ブロックの機能ブロック図である。
【００２４】
同図に示される通り、画像表示機能部は、表示画像生成部３０１とディスプレイ間輝度調整部３０２と調整テーブル保持部３０３と第１入力受付部３１１と第１補正値更新部３１２と第１白色テーブル保持部３１３と第１ＬＵＴ（Look Up Table）３１４と第１輝度補正部３１５と第１γ変換部３１６と第１表示部３１７と第２入力受付部３２１と第２補正値更新部３２２と第２白色テーブル保持部３２３と第２ＬＵＴ３２４と第２輝度補正部３２５と第２γ変換部３２６と第２表示部３２７とから構成される。
【００２５】
表示画像生成部３０１は、プロセッサ２０４がプログラムを実行することで実現され、第１補正値更新部３１２と第１輝度補正部３１５と第２補正値更新部３２２と第２輝度補正部３２５とに接続され、変復調回路２０２によって復調される復調信号、テレビ受信回路２０５によって受信される受信信号、第１補正値更新部３１２から送出される信号、第２補正値更新部３２２から送出される信号等に基づいて、第１表示部３１７に表示させる画像の画像データ、及び第２表示部３１８に表示させる画像の画像データを生成する機能を有する。
【００２６】
ここで、画像データとは、第１表示部３１７、又は第２表示部３２７に表示させる画像を構成する画素それぞれについての、０〜２５５の２５６階調からなるＲ（Red：赤色）輝度値と、０〜２５５の２５６階調からなるＧ（Green：緑色）輝度値と、０〜２５５の２５６階調からなるＢ（Blue：青色）輝度値とから構成されるデータのことを言う。
第１入力受付部３１１は、プロセッサ２０４によって制御される第１タッチパッドコントローラ２１１と第１タッチパッド２１２とによって実現され、第１補正値更新部３１２に接続され、第１タッチパッド２１２を用いて行われるユーザ操作に基づくユーザ操作コマンドを生成して、第１補正値更新部３１２へ出力する機能を有する。
【００２７】
第１白色テーブル保持部３１３は、メモリ２０９の記憶領域の一部の領域として実装される記憶領域であって、第１補正値更新部３１２に接続され、下記第１白色テーブルを記憶する機能を有する。
図４は、第１白色テーブル保持部３１３が記憶する第１白色テーブルのデータ構成を示すデータ構成図である。
【００２８】
第１白色テーブルは、色を特定する色ＩＤと、色を表現する３原色の輝度値（ここでは、Ｒ輝度値とＧ輝度値とＢ輝度値）とを対応付けて記憶しているテーブルである。
同図に示される通り、第１白色テーブルは、ｒ１〜ｒ８、ｇ１〜ｇ８、ｂ１〜ｂ８、ｙ１〜ｙ８、ｃ１〜ｃ８、ｍ１〜ｍ８の計４８種類の色ＩＤで特定される色それぞれについての、Ｒ輝度値とＧ輝度値とＢ輝度値とを対応付けて記憶している。
【００２９】
以下、表記の簡略化のため、ｒ１という色ＩＤで特定される色をｒ１色と呼び、他の色についても同様の呼び方をすることとする。
ここで、これら４８個の色のそれぞれは、少なくとも１つの輝度値が２５５となる色である。そして、ｒ１色〜ｒ８色のそれぞれは、Ｒ輝度値が２５５となり、他の輝度値のそれぞれが、数字順に５階調ずつ少なくなっていく色である。ｇ１色〜ｇ８色のそれぞれは、Ｇ輝度値が２５５となる同様の色であり、ｂ１色〜ｂ８色のそれぞれは、Ｂ輝度値が２５５となる同様の色であり、ｙ１色〜ｙ８色のそれぞれは、Ｒ輝度値とＧ輝度値とが２５５となる同様の色であり、ｃ１色〜ｃ８色のそれぞれは、Ｇ輝度値とＢ輝度値とが２５５となる同様の色であり、ｍ１色〜ｍ８色のそれぞれは、Ｒ輝度値とＢ輝度値とが２５５となる同様の色である。
【００３０】
第１白色テーブルによると、例えば、色ＩＤがｒ１で特定される色は、Ｒ輝度値が２５５、Ｇ輝度値が２５０、Ｂ輝度値が２５０となっていることが分かる。
再び図３に戻って、画像表示機能部の説明を続ける。
第１補正値更新部３１２は、プロセッサ２０４がプログラムを実行することで実現され、第１入力受付部３１１と表示画像生成部３０１と第１白色テーブル保持部３１３と第１ＬＵＴ保持部３１４とに接続され、以下の機能を有する。
【００３１】
機能１：携帯電話機１００が通常動作モードである場合において、第１入力受付部３１１から、携帯電話機１００の動作モードを補正動作モードに設定する旨の操作コマンドが入力されるときに、携帯電話機１００の動作モードを、通常動作モードから補正動作モードへ変更する機能。
機能２：携帯電話機１００の動作モードが補正動作モードである場合に、第１入力受付部３１１から入力されるユーザ操作コマンドに応じて、第１白色テーブル保持部３１３に記憶されている第１白色テーブルを参照して、第１表示部３１７に表示させる第１白色ターゲット画像（後述）を生成するための信号（以下、「第１ターゲット画像信号」と呼ぶ。）を生成して、表示画像生成部３０１に出力する機能。
【００３２】
機能３：携帯電話機１００の動作モードが補正動作モードである場合に、第１入力受付部３１１から入力されるユーザ操作コマンドに応じて、第１ＬＵＴ保持部３１４に保持される第１ＬＵＴ（後述）を更新する機能。
機能４：携帯電話機１００が補正動作モードである場合において、所定の条件が満たされたときに（後述の補正値更新処理における、ステップＳ１０５０の処理が終了したときに対応）、携帯電話機１００の動作モードを、補正動作モードから通常動作モードへ変更する機能。
【００３３】
図５は、第１補正値更新部３１２によって生成される第１ターゲット画像信号に基づいて生成されこととなる、第１白色ターゲット画像の模式図である。
この第１白色ターゲット画像は、第１ＬＣＤ２１５の表示領域全体に表示される画像である。
同図において、第１表示領域アイコン５１１〜第１２表示領域アイコン５２２は、それぞれ、第１白色テーブル保持部３１３が記憶する第１白色テーブルに、輝度と対応付けられて記憶されている４８種類の色のうちの一色を表示するアイコンである。
【００３４】
第１白色ターゲット画像は、これら１２個の表示領域アイコンによって、同時に１２色の色が表示されることとなる。
第１表示領域アイコン５１１〜第１２表示領域アイコン５２２が表示する１２色の色の組み合わせは、以下で説明する４つのパターンのうちのいずれかのパターンとなるように設定されている。
【００３５】
図６は、第１表示領域アイコン５１１〜第１２表示領域アイコン５２２が表示する１２色の色の組み合わせの４つのパターンを模式的に示す模式図である。
同図において、第１パターン６０１〜第４パターン６０４は、それぞれ、第１表示領域アイコン５１１〜第１２表示領域アイコン５２２が表示する１２色の色の組み合わせパターンを示している。
【００３６】
同図に示されるように、第１パターン６０１は、上列から順に、表示領域アイコンのそれぞれが、ｒ１色〜ｒ４色、ｇ１色〜ｇ４色、ｂ１色〜ｂ４色を表示するパターンとなっており、第２パターン６０２は、上列から順に、表示領域アイコンのそれぞれが、ｒ５色〜ｒ８色、ｇ５色〜ｇ８色、ｂ５色〜ｂ８色を表示するパターンとなっており、第３パターン６０３は、上列から順に、表示領域アイコンのそれぞれが、ｙ１色〜ｙ４色、ｃ１色〜ｃ４色、ｍ１色〜ｍ４色を表示するパターンとなっており、第４パターン６０４は、上列から順に、表示領域アイコンのそれぞれが、ｙ５色〜ｙ８色、ｃ５色〜ｃ８色、ｍ５色〜ｍ８色を表示するパターンとなっている。
【００３７】
再び図５に戻って、第１白色ターゲット画像の説明を続ける。
ｎｅｘｔアイコン５８３とｂａｃｋアイコン５８２とは、それぞれ、第１タッチパッド２１２の主表面をユーザからタッチされることで、ユーザからの、第１表示領域アイコン５１１〜第１２表示領域アイコン５２２が表示する１２色の色の組み合わせのパターンを、現在表示しているパターンから、他のパターンに変更する操作を、第１入力受付部３１１が受け付けるためのアイコンである。
【００３８】
第１白色ターゲット画像において、第１パターン６０１の色表示パターンが表示されている場合には、ユーザによってｎｅｘｔアイコン５８３がタッチされることで、表示する色表示パターンを次パターンである第２パターン６０２に変更するという操作が、第１入力受付部３１１によって受け付けられ、ユーザによってｂａｃｋアイコン５８２がタッチされることで、表示する色表示パターンを前パターンである第４パターン６０４に変更するという操作が、第１入力受付部３１１によって受け付けられる。
【００３９】
第１白色ターゲット画像において、第２パターン６０２の色表示パターンが表示されている場合には、ユーザによってｎｅｘｔアイコン５８３がタッチされることで、表示する色表示パターンを次パターンである第３パターン６０３に変更するという操作が、第１入力受付部３１１によって受け付けられ、ユーザによってｂａｃｋアイコン５８２がタッチされることで、表示する色表示パターンを前パターンである第１パターン６０４に変更するという操作が、第１入力受付部３１１によって受け付けられる。
【００４０】
第１白色ターゲット画像において、第３パターン６０３の色表示パターンが表示されている場合には、ユーザによってｎｅｘｔアイコン５８３がタッチされることで、表示する色表示パターンを次パターンである第４パターン６０４に変更するという操作が、第１入力受付部３１１によって受け付けられ、ユーザによってｂａｃｋアイコン５８２がタッチされることで、表示する色表示パターンを前パターンである第２パターン６０２に変更するという操作が、第１入力受付部３１１によって受け付けられる。
【００４１】
第１白色ターゲット画像において、第４パターン６０４の色表示パターンが表示されている場合には、ユーザによってｎｅｘｔアイコン５８３がタッチされることで、表示する色表示パターンを次パターンである第１パターン６０２に変更するという操作が、第１入力受付部３１１によって受け付けられ、ユーザによってｂａｃｋアイコン５８２がタッチされることで、表示する色表示パターンを前パターンである第３パターン６０３に変更するという操作が、第１入力受付部３１１によって受け付けられる。
【００４２】
白画面表示領域５８１は、第１表示領域アイコン５１１〜第１２表示領域アイコン５２２に表示されている色のうち、第１タッチパッド２１２の主表面をユーザからタッチされることで選択された表示領域アイコンの色を表示する領域である、そして、表示される色をユーザが視認しやすいように、白画面表示領域５８１の面積は、色表示領域の面積よりも１０倍程度の大きさとなっている。なお、この白画面表示領域５８１の面積は、第１白色ターゲット画像の面積のうちの１／３程度を占める。
【００４３】
ＯＫアイコン５８４とＣＡＮＣＥＬアイコン５８５とは、それぞれ、第１タッチパッド２１２の主表面をユーザからタッチされることで、ユーザからの操作を、第１入力受付部３１１が受け付けるためのアイコンである。
再び図３に戻って、画像表示機能部の説明を続ける。
第１ＬＵＴ保持部３１４は、メモリ２０９の記憶領域の一部の領域として実装される記憶領域であって、第１補正値更新部３１２と第１輝度補正部３１５とディスプレイ間輝度調整部３０２とに接続され、下記第１ＬＵＴを記憶する機能を有する。
【００４４】
図７は、第１ＬＵＴ保持部３１４が記憶する第１ＬＵＴの一例についてのデータ構成を示すデータ構成図である。
第１ＬＵＴは、第１輝度補正部３１５に入力される、Ｒ輝度値、Ｇ輝度値、Ｂ輝度値のそれぞれの入力値と、第１輝度補正部３１５から出力されるＲ輝度値、Ｇ輝度値、Ｂ輝度値のそれぞれの出力値との対応関係を記憶するテーブルである。
【００４５】
同図に示されるように、第１ＬＵＴは、０〜２５５の値となる２５６種類のＲ入力値７０１のそれぞれと、２５６種類のＲ出力値７０２のそれぞれとを対応付けて記憶し、０〜２５５の値となる２５６種類のＧ入力値７０３のそれぞれと、２５６種類のＧ出力値７０４のそれぞれとを対応付けて記憶し、０〜２５５の値となる２５６種類のＢ入力値７０５のそれぞれと、２５６種類のＢ出力値７０６のそれぞれとを対応付けて記憶している。
【００４６】
図８（ａ）、（ｂ）、（ｃ）は、それぞれ、図７に示される第１ＬＵＴの一例についての、Ｒ入力値７０１とＲ出力値７０２との対応関係を示す相関図、Ｇ入力値７０３とＧ出力値７０４との対応関係を示す相関図、Ｂ入力値７０５とＢ出力値７０６との対応関係を示す相関図である。
図８（ａ）、（ｂ）、（ｃ）に示されるように、Ｒ入力値７０１とＲ出力値７０２との対応関係は、Ｒ入力値７０１の変化量とＲ出力値７０２の変化量とが比例する関係となっており、Ｇ入力値７０３とＧ出力値７０４との対応関係は、Ｇ入力値７０３の変化量とＧ出力値７０４の変化量とが比例する関係となっており、Ｂ入力値７０５とＢ出力値７０６との対応関係は、Ｂ入力値７０５の変化量とＢ出力値７０６の変化量とが比例する関係となっている。
【００４７】
このように、第１補正値更新部３１２は、第１ＬＵＴを更新する際に、対応する色入力値と色出力値との関係が、比例関係となるように更新する。
再び図３に戻って、画像表示機能部の説明を続ける。
第１輝度補正部３１５は、プロセッサ２０４がプログラムを実行することで実現され、表示画像生成部３０１と第１ＬＵＴ保持部３１４と第１γ変換部３１６とに接続され、以下の機能を有する。
【００４８】
機能１：携帯電話機１００が通常動作モードである場合に、第１ＬＵＴ保持部３１４に記憶されている第１ＬＵＴを参照して、表示画像生成部３０１から入力される画素データのＲ輝度値、Ｇ輝度値、Ｂ輝度値それぞれを補正して、補正された画素データとして、第１γ変換部３１６へ出力する機能。
ここで、第１輝度補正部３１５の行う輝度値の補正とは、入力される輝度値を入力値として、第１ＬＵＴ保持部３１４に記憶されている第１ＬＵＴにおいて対応付けられている出力値を読み出し、読み出した出力値を、補正後の輝度値として出力する処理のことを言う。
【００４９】
機能２：携帯電話機１００が補正動作モードである場合に、表示画像生成部３０１から入力される画素データを、そのまま第１γ変換部３１６へ出力する機能。
第１γ変換部３１６は、プロセッサ２０４によって制御される第１ＬＣＤコントローラ２１３によって実現され、第１輝度補正部３１５と第１表示部３１７とに接続され、第１輝度補正部３１５から入力された補正された画素データに対してγ補正を行う機能を有する。ここでは、γ補正におけるガンマ値は、例えば２．２となっている。
【００５０】
第１表示部３１７は、第１ＬＣＤ２１５によって実現され、第１γ変換部３１６から出力されるγ補正後の画素データを画像として表示する機能を有する。
第２入力受付部３２１は、プロセッサ２０４によって制御される第２タッチパッドコントローラ２２１と第２タッチパッド２２２とによって実現され、第２補正値更新部３２２に接続され、第２タッチパッド２２２を用いて行われるユーザ操作に基づくユーザ操作コマンドを生成して、第２補正値更新部３２２に出力する機能を有する。
【００５１】
第２白色テーブル保持部３２３は、メモリ２０９の記憶領域の一部の領域として実装される記憶領域であって、第２補正値更新部３２２に接続され、第１白色テーブルと同様のテーブルである第２白色テーブルを記憶する機能を有する。
第２補正値更新部３２２は、プロセッサ２０４がプログラムを実行することで実現され、第２入力受付部３２１と表示画像生成部３０１と第２白色テーブル保持部３２３と第２ＬＵＴ保持部３２４とに接続され、以下の機能を有する。
【００５２】
機能１：携帯電話機１００の動作モードが補正動作モードである場合に、第２入力受付部３２１から入力されるユーザ操作コマンドに応じて、第２白色テーブル保持部３２３に記憶されている第２白色テーブルを参照して、第２表示部３２７に表示させる、第１白色ターゲット画像と同様の画像である第２白色ターゲット画像を生成するための信号（以下、「第２ターゲット画像信号」と呼ぶ。）を生成して、表示画像生成部３０１に出力する機能。
【００５３】
機能２：携帯電話機１００の動作モードが補正動作モードである場合に、第２入力受付部３２１から入力されるユーザ操作コマンドに応じて、第２ＬＵＴ保持部３２４に保持される、第１ＬＵＴと同様のテーブルである第２ＬＵＴを更新する機能。
第２ＬＵＴ保持部３２４は、メモリ２０９の記憶領域の一部の領域として実装される記憶領域であって、第２補正値更新部３２２と第２輝度補正部３２５とディスプレイ間輝度調整部３０２とに接続され、第２ＬＵＴを記憶する機能を有する。
【００５４】
第２輝度補正部３２５は、プロセッサ２０４がプログラムを実行することで実現され、表示画像生成部３０１と第２ＬＵＴ保持部３２４と第２γ変換部３２６とに接続され、第２ＬＵＴ保持部３２４に記憶されている第２ＬＵＴを参照して、表示画像生成部３０１から入力される画素データのＲ輝度値、Ｇ輝度値、Ｂ輝度値それぞれを補正して、補正された画素データとして、第２γ変換部３２６へ出力する機能を有する。
【００５５】
ここで、第２輝度補正部３２５の行う輝度値の補正は、第１輝度補正部３１５の行う輝度値と同様の補正である。
第２γ変換部３２６は、プロセッサ２０４によって制御される第２ＬＣＤコントローラ２２３によって実現され、第２輝度補正部３２５と第２表示部３２７とに接続され、第１γ変換部によって行われるγ補正と同様のγ補正を行う機能を有する。
【００５６】
第２表示部３２７は、第２ＬＣＤ２２５によって実現され、第２γ変換部３２６から出力されるγ補正後の画素データを画像として表示する機能を有する。
調整テーブル保持部３０３は、メモリ２０９の記憶領域の一部の領域として実装される記憶領域であって、ディスプレイ間輝度調整部３０２に接続され、下記調整テーブルを記憶する機能を有する。
【００５７】
図９は、調整テーブル保持部３０３が記憶する調整テーブルのデータ構成を示すデータ構成図である。
同図において、Ｇ輝度値差９０１は、第１ＬＵＴ保持部３１４に記憶されている第１ＬＵＴにおけるＧ出力値７０４（図７参照）の最大値と第２ＬＵＴ保持部３２４に記憶されている第２ＬＵＴにおけるＧ出力値７０４の最大値との差である。
【００５８】
第１ＬＣＤ輝度調整比率９０２は、第１ＬＣＤ２１５に表示される画像の輝度を下げる補正を行うために利用される調整比率である。
第２ＬＣＤ輝度調整比率９０２は、第２ＬＣＤ２２５に表示される画像の輝度を下げる補正を行うために利用される調整比率である
同図に示されるように、調整テーブルは、Ｇ輝度値差９０１と第１ＬＣＤ輝度調整比率９０２と第２ＬＣＤ輝度調整比率９０３とを対応付けて記憶しているテーブルである。
【００５９】
この調整テーブルによると、例えば、「−４０未満」となるＧ輝度値差９０１は、「１００％」となる第１ＬＣＤ輝度調整比率９０２と、「８０％」となる第２ＬＣＤ輝度調整比率９０３とに対応付けられていることがわかる。
ディスプレイ間輝度調整部３０２は、プロセッサ２０４がプログラムを実行することで実現され、第１補正値更新部３１２と第２補正値更新部３２２と調整テーブル保持部３０３と第１ＬＵＴ保持部３１４と第２ＬＵＴ保持部３２４とに接続され、以下の機能を有する。
【００６０】
機能１：第１ＬＵＴ保持部３１４に記憶されている第１ＬＵＴと、第２ＬＵＴ保持部３２４に記憶されている第２ＬＵＴとを参照して、Ｇ輝度値差を算出する機能。
機能２：Ｇ輝度値差を算出した場合に、調整テーブル保持部３０３に記憶されている調整テーブルから、算出したＧ輝度値差に対応する、第１ＬＣＤ輝度調整比率９０２と第２ＬＣＤ輝度調整比率９０３とを読み出して、読み出した第１ＬＣＤ輝度調整比率９０２を、第１ＬＵＴ保持部３１４に記憶されている第１ＬＵＴの、Ｒ出力値７０２のそれぞれとＧ出力値７０４のそれぞれとＢ出力値７０６のそれぞれとに掛けることで、第１ＬＵＴ保持部３１４に記憶されている第１ＬＵＴの、Ｒ出力値７０２のそれぞれとＧ出力値７０４のそれぞれとＢ出力値７０６のそれぞれとを更新し、読み出した第２ＬＣＤ輝度調整比率９０３を、第２ＬＵＴ保持部３２４に記憶されている第２ＬＵＴの、Ｒ出力値７０２のそれぞれとＧ出力値７０４のそれぞれとＢ出力値７０６のそれぞれとに掛けることで、第２ＬＵＴ保持部３２４に記憶されている第２ＬＵＴの、Ｒ出力値７０２のそれぞれとＧ出力値７０４のそれぞれとＢ出力値７０６のそれぞれとを更新する機能。
【００６１】
以上のように構成される画像表示機能部は、下記補正値更新処理を実行することで、色味の補正機能を実現する。
以下、画像表示機能部の行う補正値更新処理について、図面を用いて説明する。
＜補正値更新処理＞
補正値更新処理は、携帯電話機１００が、第１ＬＣＤ２１５と第２ＬＣＤ２２５とが同時視認可能となる第２形態においてなされる処理であって、ユーザからの操作に応じて、第１ＬＣＤ２１５に表示される画像の色味の補正に用いられる第１ＬＵＴと、第２ＬＣＤ２２５に表示される画像の色味の補正に用いられる第１ＬＵＴとを更新する処理である。
【００６２】
図１０は、画像表示機能部の行う補正値更新処理のフローチャートである。
補正値更新処理は、携帯電話機１００が通常動作モードである場合において、第２形態であるときに、携帯電話機１００を利用するユーザから、第１入力受付部３１１を用いて、携帯電話機１００の動作モードを補正動作モードに設定する旨の操作がなされることで開始される。
【００６３】
補正値更新処理が開始されると、第１入力受付部３１１は、携帯電話機１００の動作モードを補正動作モードに設定する旨の操作コマンドを生成して、第１補正値更新部３１２へ出力し、第１補正値更新部３１２は、携帯電話機１００の動作モードを、通常動作モードから補正動作モードへ変更する（ステップＳ１０００）。
携帯電話機１００の動作モードが、補正動作モードへ変更されると、画像機能処理部は、第１表示部の単体補正処理と第２表示部の単体補正処理とを開始する（ステップＳ１０１０、ステップＳ１０２０）。
【００６４】
第１表示部の単体補正処理と第２表示部の単体補正処理とは、互いに同様な処理なので、ここでは、代表して、第１表示部の単体補正処理について、以下、図面を用いて説明する。
図１１は、画像機能処理部の行う第１表示部の単体補正処理のフローチャートである。
この第１表示部の単体補正処理は、第２ＬＣＤ２２５に表示される画像の色味の補正処理から独立して、ユーザからの操作に応じて、第１ＬＣＤ２１５に表示される画像の色味を補正する処理である。
【００６５】
第１表示部の単体補正処理が開始されると、第１補正値更新部３１２は、第１ターゲット画像信号を生成して、表示画像生成部３０１に出力し、表示画像生成部３０１は、第１白色ターゲット画像の画素データを生成して、第１輝度補正部３１５に出力する。
第１輝度補正部３１５は、第１白色ターゲット画像の画素データを受け取ると、携帯電話機が補正動作モードとなっているので、受け取った画素データをそのまま第１γ変換部３１６へ出力し、第１γ変換部３１６は、受け取った画素データに対してγ補正を行って、第１表示部３１７へ出力する。すると、第１表示部３１７は、第１ＬＣＤ２１５に第１白色ターゲット画像を表示する（ステップＳ１１００）。
【００６６】
図１２は、第１ＬＣＤ２１５に、第１表示部の単体補正処理が開始された直後の第１白色ターゲット画像が表示され、第２ＬＣＤ２２５に、第２表示部の単体補正処理が開始された直後の第２白色ターゲット画像が表示されている状態を模式的に示す模式図である。
同図に示されるように、第１ＬＣＤ２１５に表示される第１白色ターゲット画像と、第２ＬＣＤ２２５に表示される第２白色ターゲット画像とは、互いに近接して並んで表示されることとなる。
【００６７】
また、第１ＬＣＤ２１５に表示される第１白色ターゲット画像と、第２ＬＣＤ２２５に表示される第２白色ターゲット画像とは、第１表示部の単体補正処理が開始された直後には、それぞれ、１２個の表示領域アイコンに表示する色の組み合わせが、第１パターン６０１（図６参照）となり、それぞれの白画面表示領域５８１に、Ｒ輝度値が２５５、Ｇ輝度値が２５５、Ｂ輝度値が２５５となる白色が表示されるように設定されている。
【００６８】
再び図１１に戻って、第１表示部の単体補正処理についての説明を続ける。
ステップＳ１１００の処理が終了すると、第１補正値更新部３１２は、第１入力受付部３１１から、ユーザによって第１入力受付部３１１に対してなされる、ＯＫアイコン８８４（図１２参照）へのタッチ操作に基づいて生成されるユーザ操作コマンド（以下、「ＯＫ操作コマンド」と呼ぶ。）が入力されたか否かを調べる（ステップＳ１１１０）。このＯＫ操作コマンドは、ユーザからの肯定の旨を示す操作を受け付けたことによって生成される操作コマンドのことである。
【００６９】
ステップＳ１１１０の処理において、ＯＫ操作コマンドが入力されていなかった場合に（ステップＳ１１１０：Ｎｏ）、第１補正値更新部３１２は、第１入力受付部３１１から、ユーザによって第１入力受付部３１１に対してなされる、１２個の表示領域アイコンのいずれかへのタッチ操作に基づいて生成されるユーザ操作コマンド（以下、「色選択操作コマンド」と呼ぶ。）が入力されたか否かを調べる（ステップＳ１１２０）。
【００７０】
ステップＳ１１２０の処理において、色選択操作コマンドが入力されていた場合に（ステップＳ１１２０：Ｙｅｓ）、第１補正値更新部３１２は、タッチ操作された表示領域アイコンに表示されている色の色ＩＤ（例えば、第１表示領域アイコン８１１がｒ１色を表示している場合において、ｒ１表示領域アイコン８１１がタッチされた場合には、ｒ１）を、一時的に記憶して（ステップＳ１１３０）、その色ＩＤの示す色が白画面表示領域８８１に表示されることとなる第１白色ターゲット信号を生成して、表示画像生成部３０１に出力する。
【００７１】
すると、第１表示部３１７には、白画面表示領域８８１に、タッチ操作された表示領域アイコンに表示されている色が表示されることとなる（ステップＳ１１４０）。
ステップＳ１１２０の処理において、色選択操作コマンドが入力されていなかった場合に（ステップＳ１１２０：Ｎｏ）、第１補正値更新部３１２は、第１入力受付部３１１から、ユーザによって第１入力受付部３１１に対してなされる、ｎｅｘｔアイコン８８３へのタッチ操作に基づいて生成されるユーザ操作コマンド（以下、「ｎｅｘｔ操作コマンド」と呼ぶ。）が入力されたか否かを調べる（ステップＳ１１５０）。
【００７２】
ステップＳ１１５０の処理において、ｎｅｘｔ操作コマンドが入力されていた場合に（ステップＳ１１５０：Ｙｅｓ）、第１補正値更新部３１２は、１２個の表示領域アイコンが表示する１２色の色の組み合わせパターンが次パターンとなる第１白色ターゲット信号を生成して、表示画像生成部３０１に出力する。
すると、第１表示部３１７には、１２色の色の組み合わせが次パターンに変更された第１白色ターゲット画像が表示されることとなる（ステップＳ１１６０）。
【００７３】
ステップＳ１１５０の処理において、ｎｅｘｔ操作コマンドが入力されていなかった場合に（ステップＳ１１５０：Ｎｏ）、第１補正値更新部３１２は、第１入力受付部３１１から、ユーザによって第１入力受付部３１１に対してなされる、ｂａｃｋアイコン８８２へのタッチ操作に基づいて生成されるユーザ操作コマンド（以下、「ｂａｃｋ操作コマンド」と呼ぶ。）が入力されたか否かを調べる（ステップＳ１１７０）。
【００７４】
ステップＳ１１７０の処理において、ｂａｃｋ操作コマンドが入力されていた場合に（ステップＳ１１７０：Ｙｅｓ）、第１補正値更新部３１２は、１２個の表示領域アイコンが表示する１２色の色の組み合わせパターンが前パターンとなる第１白色ターゲット信号を生成して、表示画像生成部３０１に出力する。
すると、第１表示部３１７には、１２色の色の組み合わせが前パターンに変更された第１白色ターゲット画像が表示されることとなる（ステップＳ１１８０）。
【００７５】
ステップＳ１１４０の処理が終了した場合、ステップＳ１１６０の処理が終了した場合、ステップＳ１１８０の処理が終了した場合、又は、ステップＳ１１７０の処理において、ｂａｃｋ操作コマンドが入力されていなかった場合（ステップＳ１１７０：Ｎｏ）に、画像機能処理部は、再びステップＳ１１１０の処理に戻って、ステップＳ１１１０以下の処理を繰り返す。
【００７６】
ステップＳ１１１０の処理において、ＯＫ操作コマンドが入力されていた場合に（ステップＳ１１１０：Ｙｅｓ）、第１補正値更新部３１２は、一時的に記憶している色ＩＤで示される色のＲ輝度値と、Ｇ輝度値と、Ｂ輝度値とが、それぞれ、第１ＬＵＴ保持部３１４に記憶されている第１ＬＵＴにおける、Ｒ出力値の最大値と、Ｇ出力値の最大値と、Ｂ出力値の最大値となるように更新する（ステップＳ１１９０）。
【００７７】
この際、第１補正値更新部３１２は、対応する色入力値と色出力値との関係が比例関係となるように演算処理を行うことで、Ｒ出力値のそれぞれと、Ｇ出力値のそれぞれと、Ｂ出力値のそれぞれとを算出して更新する。
ステップＳ１１９０の処理が終了すると、画像機能処理部は、その第１表示部の単体補正処理を終了する。
【００７８】
再び図１０に戻って、画像表示機能部の行う補正値更新処理の説明を続ける。
ステップＳ１０１０とステップＳ１０２０との処理において、第１表示部の単体補正処理と第２表示部の単体補正処理とが開始されると、画像機能部は、開始された第１表示部の単体補正処理と、開始された第２表示部の単体補正処理との双方が終了するまで、ステップＳ１０１０〜ステップＳ１０３０：Ｎｏの処理を繰り返す。
【００７９】
ステップＳ１０３０の処理において、第１表示部の単体補正処理と、第２表示部の単体補正処理との双方が終了した場合に（ステップＳ１０３０：Ｙｅｓ）、ディスプレイ間輝度調整部３０２は、第１ＬＵＴ保持部３１４に記憶されている第１ＬＵＴと、第２ＬＵＴ保持部３２４に記憶されている第２ＬＵＴとを参照して、Ｇ輝度値差を算出する（ステップＳ１０４０）。
【００８０】
ディスプレイ間輝度調整部３０２は、Ｇ輝度値差を算出すると、調整テーブル保持部３０３に記憶されている調整テーブルから、算出したＧ輝度値差に対応する、第１ＬＣＤ輝度調整比率９０２と第２ＬＣＤ輝度調整比率９０３とを読み出して、読み出した第１ＬＣＤ輝度調整比率９０２に基づいて、第１ＬＵＴ保持部３１４に記憶されている第１ＬＵＴを更新し、読み出した第２ＬＣＤ輝度調整比率９０３に基づいて、第２ＬＵＴ保持部３２４に記憶されている第２ＬＵＴを更新する（ステップＳ１０５０）。
【００８１】
ステップＳ１０５０の処理が終了すると、第１補正値更新部３１２は、携帯電話機１００の動作モードを、補正動作モードから通常動作モードへ変更し（ステップＳ１０６０）、画像表示機能部は、その補正値更新処理を終了する。
＜まとめ＞
携帯電話機１００は、補正値更新処理において、第１ＬＣＤ２１５に表示する第１白色ターゲット画像と、第２ＬＣＤ２２５に表示する第２白色ターゲット画像とが、図１２に示されるように、近接して並んで表示されることとなる。このことにより、携帯電話機１００を利用するユーザは、第１白色ターゲット画像に表示されている色と、第２白色ターゲット画像に表示されている色とを、目視にて直接比較することができる。
【００８２】
また、携帯電話機１００を利用するユーザは、補正値更新処理において、第１ＬＣＤ２１５において表示される４８種類の色ＩＤで特定される色と、第２ＬＣＤ２２５において表示される４８色の色ＩＤで特定される色とのうち、互いに色味が似通った色の組み合わせを選択するだけで、第１ＬＣＤ２１５に表示される画像の色味と、第２ＬＣＤ２２５に表示される画像の色味とを、違和感のないものとすることができる。
【００８３】
さらには、補正値更新処理において、ステップＳ１０４０の処理とステップ１０５０の処理とが行われることとなるため、第１ＬＣＤ２１５に表示される画像における各画素の平均輝度と、第２ＬＣＤ２２５に表示される画像における各画素の平均輝度との差が、比較的大きなものとなってしまうことがない。
つまり、本実施形態によれば、同時視認可能な２つのディスプレイを備え、これら２つのディスプレイのそれぞれに画像を表示する機能を有する電子機器において、これら２つのディスプレイにおける製造上の品質ばらつき等に起因して、一方のディスプレイに表示される画像の色味と、他方のディスプレイに表示される画像の色味とが、互いに異なるものとなってしまっても、色味の違和感を低減することができる。
＜補足＞
以上、本発明に係る電子機器の一実施形態として、実施の形態において、携帯電話機１００を例として説明したが、以下のように変形することも可能であり、本発明は上述した実施の形態通りの電子機器に限られないことはもちろんである。
（１）実施の形態において、携帯電話機１００は、図１（ａ）に示される第１形態と、図１（ｃ）に示される第２形態とに選択的に変形自在となる構成の例であったが、携帯電話機１００が、外部から同時視認可能となる２つのディスプレイを備えていれば、必ずしも、図１（ａ）に示される第１形態と、図１（ｃ）に示される第２形態とに選択的に変形自在となる構成の携帯電話機に限られる必要はない。
【００８４】
例えば、第１ディスプレイを有する第１筐体と、第２ディスプレイを有する第２筐体と、これら筐体を回転可能に支持するヒンジ部とを備える折り畳み式携帯電話機、第１ディスプレイを有する第１筐体と、第２ディスプレイを有する第２筐体と、これら筐体をスライド可能に支持するヒンジ部とを備えるスライド式携帯電話機等が考えられる。
（２）実施の形態において、携帯電話機１００は、第１ＬＣＤ２１５と第１タッチパッド２１２とが、互いに重ね合わされて配置されている構成の例について説明したが、第１ＬＣＤ２１５は、ディスプレイとしての機能を有していれば必ずしもＬＣＤである必要はなく、例えば、有機ＥＬ（Electro-Luminescence）ディスプレイであっても構わない。さらには、第１タッチパッド２１２は、ユーザからの操作を受け付ける機能があれば、必ずしも、第１ＬＣＤ２１５に重ねられているタッチパッドである必要はなく、例えば、第１ＬＣＤ２１５と重ね合わされていない位置に配置されているキーボードであっても構わない。
【００８５】
第２ＬＣＤ２２５と第２タッチパッド２２２とについても同様である。
（３）実施の形態において、携帯電話機１００は、第１補正値更新部３１２が、第１表示部の単体補正処理におけるステップＳ１１９０の処理において、第１ＬＵＴ保持部３１４に記憶されている第１ＬＵＴの更新を、対応する色入力値と色出力値との関係が比例関係となるように演算処理を行うことで、Ｒ出力値のそれぞれと、Ｇ出力値のそれぞれと、Ｂ出力値のそれぞれとを算出することで行う構成の例について説明したが、対応する色入力値と色出力値との関係が比例関係となるように、Ｒ出力値のそれぞれと、Ｇ出力値のそれぞれと、Ｂ出力値のそれぞれとを決定することができれば、必ずしも算出によって決定する必要はなく、例えば、第１白色テーブル３１３に記憶されている第１白色テーブルが記憶する４８種類の色ＩＤのそれぞれについての、Ｒ出力値のそれぞれと、Ｇ出力値のそれぞれと、Ｂ出力値のそれぞれとを記憶するＬＵＴを予め記憶しておき、記憶しているＬＵＴの中から、対応するＬＵＴを選択して、選択したＬＵＴから、Ｒ出力値のそれぞれと、Ｇ出力値のそれぞれと、Ｂ出力値のそれぞれとを読み出すことで、Ｒ出力値のそれぞれと、Ｇ出力値のそれぞれと、Ｂ出力値のそれぞれとを決定する構成であっても構わない。
【００８６】
第２補正値更新部３２２についても同様である。
（４）実施の形態において、携帯電話機１００は、ユーザによる一色の選択を、単体補正値更新処理におけるステップＳ１１１０の処理〜ステップＳ１１９０の処理によって行われる構成の例について説明したが、ユーザが一色を選択することができる処理であれば、必ずしも、単体補正値更新処理におけるステップＳ１１１０の処理〜ステップＳ１１９０の処理によって行われる必要はない。
【００８７】
例えば、ユーザの選択対象となる色表示領域アイコンの組が、最初は、互いに輝度差が大きくなる組み合わせとなるような色アイコンの中から、ユーザに色表示領域アイコンを選択させ、次に、そのユーザが選択した色表示領域に比較的近い色となる組み合わせとなるような色表示領域アイコン群の中から、最終的にユーザが選択することとなる色表示領域アイコンを選択させるといったような、２段階でユーザに一色の選択を行わせる構成であっても構わない。これは、例えば、比較的輝度差が大きくなる色の組み合わせのパターンと、そのパターンに含まれる色のそれぞれについての、比較的輝度差が小さくなる色の組み合わせパターンとを予め準備しておくことで実現することができる。
（５）実施の形態において、携帯電話機１００は、補正値更新処理において、第１ＬＣＤ２１５に第１白色ターゲット画像を表示し、第２ＬＣＤ２２５に第２白色ターゲット画像を表示して、ユーザに、第１ＬＣＤ２１５に表示される画像の色味の補正量と、第２ＬＣＤ２２５に表示される画像の色味の補正量とを決定させる構成の例について説明したが、通常動作モードにおける、第１ＬＣＤ２１５に表示される画像の色味と、第２ＬＣＤ２２５に表示される画像の色味とについての違和感を低減することができれば、必ずしも、ユーザに、第１ＬＣＤ２１５に表示される画像の色味の補正量と、第２ＬＣＤ２２５に表示される画像の色味の補正量との双方を決定させる構成に限られる必要はない。例えば、一方のＬＣＤに表示される画像の色味を基準として、この基準となる色味に合うように、他方のＬＣＤに表示される画像の色味を補正する補正量を決定させる構成が考えられる。より具体的には、例えば、第１ＬＣＤ２１５の全面に、Ｒ輝度値が２５５、Ｇ輝度値が２５５、Ｂ輝度値が２５５となる色を表示させ、第２ＬＣＤに、第２ターゲット画像を表示させて、この状態で、ユーザに、第１ＬＣＤ２１５に表示されている色と同じ色味の色の色表示領域アイコンを、第２ターゲット画像の中から選択させるという構成等が考えられる。
（６）実施の形態において、電子機器が携帯電話機である場合の例について説明したが、外部から同時視認可能となる２つのディスプレイを備えていれば、必ずしも携帯電話機に限られる必要はなく、例えば、通信機能を有するＰＤＡ（Personal Digital Assistant:携帯情報端末）であっても構わないし、携帯ゲーム機であっても構わない。
（７）以下、さらに本発明の一実施形態に係る携帯通信端末の構成及びその変形例と各効果について説明する。
（ａ）本発明の一実施形態に係る携帯通信端末は、同時視認可能な第１及び第２ディスプレイを備える電子機器であって、前記第１ディスプレイが表示する画像における色成分毎の第１補正量を決定する第１補正量決定部と、前記第１補正量決定部によって決定された前記第１補正量に基づく画像を前記第１ディスプレイに表示させる第１表示制御部と、
前記第２ディスプレイが表示する画像における色成分毎の第２補正量を決定する第２補正量決定部と、前記第２補正量決定部によって決定された前記第２補正量に基づく画像を前記第２ディスプレイに表示させる第２表示制御部とを有することを特徴とする。
【００８８】
上述の構成を備える本実施形態に係る電子機器によると、ユーザは、第１ディスプレイに表示されている画像と第２ディスプレイに表示されている画像とを同時視認する場合において、第１ディスプレイに表示されている画像の色味と、第２ディスプレイに表示されている画像の色味とについて違和感を覚えるときに、第１補正量決定部を用いて第１ディスプレイに表示される画像の色味の補正量を決定し、第２補正量決定部を用いて第２ディスプレイに表示される画像の色味の補正量を決定することができる。このことにより、ユーザは、上記違和感を低減することができるようになる。
【００８９】
（ｂ）また、前記第１補正量決定部は、前記第１ディスプレイに、輝度が互いに異なる、色成分毎の複数のサンプル画像を表示させる第１サンプル表示部と、前記第１ディスプレイに表示されている前記複数のサンプル画像のうちの１つのサンプル画像の指定を受ける、第１指定受付部とを有し前記第１補正量の決定を、前記第１指定受付部が指定を受けた１つのサンプル画像をなす色における色成分毎の輝度に基づいて行い、前記第２補正量決定部は、前記第２ディスプレイに、輝度が互いに異なる、色成分毎の複数のサンプル画像を表示させる第２サンプル表示部と、前記第２ディスプレイに表示されている前記複数のサンプル画像のうちの１つのサンプル画像の指定を受ける、第２指定受付部とを有し前記第２補正量の決定を、前記第２指定受付部が指定を受けた１つのサンプル画像をなす色における色成分毎の輝度に基づいて行うとしてもよい。
【００９０】
これにより、この電子機器を利用するユーザは、第１ディスプレイに表示される複数のサンプル画像のうちから１つのサンプル画面を指定することで、第１補正量を決定することができ、第２ディスプレイに表示される複数のサンプル画像のうちから１つのサンプル画面を指定することで、第２補正量を決定することができるようになるため、比較的容易な手続きで、これら第１補正量と第２補正量とを決定することができるようになる。
【００９１】
（ｃ）また、前記第１補正量決定部は、前記第１指定受付部が指定を受けた１つのサンプル画像をなす色を、前記第１ディスプレイにおける、当該サンプル画像の表示領域よりも広い所定の領域に表示させる第１指定色表示部を有し、前記第２補正量決定部は、前記第２指定受付部が指定を受けた１つのサンプル画像をなす色を、前記第２ディスプレイにおける、当該サンプル画像の表示領域よりも広い所定の領域に表示させる第２指定色表示部とを有するとしてもよい。
【００９２】
これにより、この電子機器を利用するユーザは、第１指定受付部を介して指定した１つのサンプル画像を、比較的容易に視認することができるようになり、また、第２指定受付部を介して指定した１つのサンプル画像を、比較的容易に視認することができるようになる。
（ｄ）また、前記第１補正量決定部は、前記第１補正量の決定を肯定する旨の第１肯定操作を受け付ける、第１肯定操作受付部を有し、前記第１補正量の決定を、前記第１指定受付部が前記１つのサンプル画像の指定を受け付けた場合において、前記第１肯定操作受付部が前記第１肯定操作を受け付けたときに限って行い、前記第２補正量決定部は、前記第２補正量の決定を肯定する旨の第２肯定操作を受け付ける、第２肯定操作受付部を有し、前記第２補正量の決定を、前記第２指定受付部が前記１つのサンプル画像の指定を受け付けた場合において、前記第２肯定操作受付部が前記第２肯定操作を受け付けたときに限って行うとしてもよい。
【００９３】
これにより、この電子機器は、第１補正量の決定と第２補正量の決定とに、ユーザからの肯定的な意思表示を反映させることができる。
（ｅ）また、前記第１ディスプレイが表示する画像を構成する画素それぞれにおける色成分のそれぞれは、赤色成分と緑色成分と青色成分とであり、前記第１サンプル表示部は、前記第１ディスプレイに表示させる複数のサンプル画像のそれぞれを、赤色成分と緑色成分と青色成分とのうちの少なくとも１つが最大輝度となる色からなる画像とし、前記第２ディスプレイが表示する画像を構成する画素それぞれにおける色成分のそれぞれは、赤色成分と緑色成分と青色成分とであり、前記第２サンプル表示部は、前記第２ディスプレイに表示させる複数のサンプル画像のそれぞれを、赤色成分と緑色成分と青色成分とのうちの少なくとも１つが最大輝度となる色からなる画像とするとしてもよい。
【００９４】
これにより、この電子機器は、サンプル画像の色を、同じ色味を持つ、ディスプレイに表示可能な色の中で、最も明るい色とすることができる。
（ｆ）また、前記第１サンプル表示部は、前記複数のサンプル画像を、サンプル画像のそれぞれが互いにアレイ状に並ぶよう表示させ、前記第２サンプル表示部は、前記複数のサンプル画像を、サンプル画像のそれぞれが互いにアレイ状に並ぶように表示させるとしてもよい。
【００９５】
これにより、この電子機器を利用するユーザは、アレイ状に表示される複数のサンプル画像の中から、１つのサンプル画像の選択を行うこととなり、比較的容易に、比較的確実にサンプル画像の選択を行うことができるようになる。
（ｇ）また、前記第１表示制御部は、前記第１補正量決定部が、前記第１補正量を決定した場合において、前記第１表示制御部が前記第１ディスプレイに表示させる白色の輝度が、前記第２表示制御部が前記第２ディスプレイに表示させる白色の輝度よりも高くなるとき、及び、前記第２補正量決定部が、前記第２補正量を決定した場合において、前記第１表示制御部が前記第１ディスプレイに表示させる白色の輝度が、前記第２表示制御部が前記第２ディスプレイに表示させる白色の輝度よりも高くなるとき、前記第１ディスプレイが表示する白色の輝度が、前記第２ディスプレイにおける白色の輝度と同程度となるように、前記第１ディスプレイへの画像の表示を行い、前記第２表示制御部は、前記第１補正量決定部が、前記第１補正量を決定した場合において、前記第２表示制御部が前記第２ディスプレイに表示させる白色の輝度が、前記第１表示制御部が前記第１ディスプレイに表示させる白色の輝度よりも高くなるとき、及び、前記第２補正量決定部が、前記第２補正量を決定した場合において、前記第２表示制御部が前記第２ディスプレイに表示させる白色の輝度が、前記第１表示制御部が前記第１ディスプレイに表示させる白色の輝度よりも高くなるとき、前記第２ディスプレイが表示する白色の輝度が、前記第１ディスプレイにおける白色の輝度と同程度となるように、前記第２ディスプレイへの画像の表示を行うとしてもよい。
【００９６】
これにより、この電子機器は、第１ディスプレイに表示させる白色の輝度と、第２ディスプレイに表示させる白色の輝度とを、互いに同程度なものとすることができる。
（ｈ）また、主表面に前記第１ディスプレイを有する第１筐体と、主表面に前記第２ディスプレイを有する第２筐体と、前記第１筐体と前記第２筐体とを、前記第１筐体と前記第２筐体とが互いに重なる第１形態と、前記第１筐体の主表面と前記第２筐体の主表面とで平面を形成する第２形態とに変更自在に連結する連結アームとを備えるとしてもよい。
【００９７】
これにより、この電子機器は、その形態を変形することができるようになる。
【産業上の利用可能性】
【００９８】
本発明は、２つ以上のディスプレイを有する電子機器に広く利用することができる。
【符号の説明】
【００９９】
１００  携帯電話機
１０１  第１筐体
１０２  第２筐体
１０３  連結アーム
１０６  第１タッチパネル
１０７  第２タッチパネル
３０１  表示画像生成部
３０２  ディスプレイ間調整部
３０３  調整テーブル保持部
３１１  第１入力受付部
３１２  第１補正値更新部
３１３  第１白色テーブル保持部
３１４  第１ＬＵＴ保持部
３１５  第１輝度補正部
３１６  第１γ変換部
３１７  第１表示部
３０１  表示画像生成部
３０２  ディスプレイ間調整部
３０３  調整テーブル保持部
３２１  第２入力受付部
３２２  第２補正値更新部
３２３  第２白色テーブル保持部
３２４  第２ＬＵＴ保持部
３２５  第２輝度補正部
３２６  第２γ変換部
３２７  第２表示部
【図１】
2013003406.tif 000003
【図２】
2013003406.tif 000004
【図３】
2013003406.tif 000005
【図４】
2013003406.tif 000006
【図５】
2013003406.tif 000007
【図６】
2013003406.tif 000008
【図７】
2013003406.tif 000009
【図８】
2013003406.tif 000010
【図９】
2013003406.tif 000011
【図１０】
2013003406.tif 000012
【図１１】
2013003406.tif 000013
【図１２】
2013003406.tif 000014